(57)【要約】【課題】  飾り振子を有する時計の振子駆動装置において、飾り振子周期の設定の自由度を高める。【解決手段】  振子駆動回路と振子取付部とを上下に離間させて有し、上下を反転してセット可能なフレームを設け、このフレームの振子取付部に上下一対の揺動支点部を形成する。一方、この振子取付部に支持される、飾り振子を結合する振竿体には、この上下一対の揺動支点部に対応する上下一対の軸受部を設け、フレームの上下反転位置及び振竿体の上下反転位置に応じ、上下一対の軸受部のうち下方に位置する軸受部を、上下一対の揺動支点部のうち下方に位置する揺動支点部に揺動自在に支持させる。さらに、振竿体には、該振竿体及びフレームの上下反転位置に拘わらず、振子駆動回路と協働して該振竿体に揺動運動を与える磁石を設けた。【選択図】  図１
2005140543.tif 000002
【特許請求の範囲】
【請求項１】
振子駆動回路と振子取付部とを上下に離間させて有し、上下を反転してセット可能なフレーム；
上記振子取付部に形成された、上下一対の揺動支点部；
この上下一対の揺動支点部に対応する上下一対の軸受部を有し、上記フレームの上下反転位置に応じ、上下を反転させて、上記上下一対の軸受部のいずれか一方を、上記上下一対の揺動支点部のいずれか一方に揺動自在に支持させる振竿体；
この振竿体に固定され、該振竿体及びフレームの上下反転位置に拘わらず、上記振子駆動回路と協働して該振竿体に揺動運動を与える磁石；及び
上記振竿体の下端部に結合される飾り振子；
を有することを特徴とする飾り振子駆動装置。
【請求項２】
請求項１記載の飾り振子駆動装置において、上記振子取付部の上下一対の揺動支点部は、振竿体の上下反転位置に応じ、その一対の軸受部のいずれか一方を下方から揺動自在に支持する下軸受と、この下軸受をフレームの上下反転位置に応じて選択的に支持する上下一対の下軸受保持部とからなっている飾り振子駆動装置。
【請求項３】
請求項１または２記載の飾り振子駆動装置において、上記フレームは、時計の支持板に上下を反転して固定可能である飾り振子駆動装置。
【請求項４】
請求項３記載の飾り振子駆動装置において、上記フレームの支持板に対する取付穴は時計用機械体の針中心軸に対して点対称の位置に配置されている飾り振子駆動装置。
【請求項５】
請求項１ないし４のいずれか１項記載の飾り振子駆動装置において、上記振竿体に支持された磁石の端面と、上記飾り振子駆動回路に含まれるコイルの端面との距離は、上記フレームの上下位置が反転しても変化しない飾り振子駆動装置。
【発明の詳細な説明】
【技術分野】
【０００１】
本発明は、時計に用いられる飾り振子駆動装置に関する。
【背景技術】
【０００２】
従来、装飾時計には装飾効果をより高めるために飾り振子が用いられている。図６、図７は、その従来例を示す。フレーム（振子駆動ブロック）１には、その上下に離間させて、下軸受（揺動支点部）２と振子駆動回路３が設けられている。時計の針中心軸は一般に、この下軸受２と振子駆動回路３を結ぶ線分上に位置させる。下軸受２には、振竿体４の軸受部４ａが揺動自在に支持されており、振竿体４には、振子駆動回路３のコイルと協働して該振竿体４に揺動運動を与える永久磁石４ｂが固定されている。すなわち、振竿体４は駆動回路３と駆動用磁石４ｂとの電磁作用により下軸受２（軸受部４ａ）を中心に左右に揺動される。
【０００３】
この飾り振子駆動装置の振竿体４には、その上下に、上振子５及び飾り振子６が取付可能になっている。飾り振子６は種々用意されており、これを交換することによって多くの製品に用いられ、様々なユーザーニーズに応えている。
【０００４】
また、振子の周期Ｔは重力加速度をｇとすると、上振子５がないいわゆる単振子の場合、飾り振子支点と、下振子（振竿体４と飾り振子６）の重心との距離をＬ２とすれば、
Ｔ［ｓｅｃ］＝２π（Ｌ２／ｇ）１／２
で与えられる。つまり周期を長くしたい場合はＬ２を大きくすればよいことになる。しかし、デザインの制約上、Ｌ２を長くできない場合には、上振子５を設け上下振子にして周期を長くする方法が取られる。上下振子の場合の周期Ｔは、上振子５の重量をｍ１、飾り振子の支点と上振子の重心との距離をＬ１、下振子の重量をｍ２とすれば、
Ｔ［ｓｅｃ］＝２π｛（ｍ１Ｌ１２＋ｍ２ｌ２２）／（ｍ２Ｌ２−ｍ１Ｌ１）ｇ｝１／２
となる。上下振子の場合、上振子の重量ｍ１が重く重心位置が支点から離れているほど周期は長くなる。そして近年、市場では周期の長いゆっくりと振れる飾り振子の要求が高まってきている。
【０００５】
【特許文献１】実開昭５８−１９２８０号公報
【特許文献２】実開昭５８−４６１８３号公報
【発明の開示】
【発明が解決しようとする課題】
【０００６】
しかし、従来のものは、下振子重心位置と支点までの距離Ｌ２に振竿体の長さが含まれるため、下振子重心位置と支点までの距離が長くなっていた。そのため周期を長く、つまりゆっくりと振れるようにしようとした場合、上振子の重心位置と支点の距離Ｌ２を長くする必要がある。しかし、デザイン上の制約等で長くすることが難しい場合が多々ある。また、上振子の重量を増加させることによっても周期を長くすることは可能であるが、飾り振子全体の重量が増加するため飾り振子の振角が減少し、製品の見栄えや装飾性が落ちるといった問題が発生する。この様に従来品では飾り振子の周期を長くしづらいという問題があった。
【０００７】
本発明は、飾り振子を有する時計の飾り振子駆動装置において、飾り振子周期の設定の自由度を高めることを目的とする。
【課題を解決するための手段】
【０００８】
本発明の飾り振子駆動装置は、振子駆動回路と振子取付部とを上下に離間させて有し、上下を反転してセット可能なフレーム；振子取付部に形成された、上下一対の揺動支点部；この上下一対の揺動支点部に対応する上下一対の軸受部を有し、フレームの上下反転位置に応じ、上下を反転させて、上下一対の軸受部のいずれか一方を、上下一対の揺動支点部のいずれか一方に揺動自在に支持させる振竿体；この振竿体に固定され、該振竿体及びフレームの上下反転位置に拘わらず、振子駆動回路と協働して該振竿体に揺動運動を与える磁石；及び振竿体の下端部に結合される飾り振子；を有することを特徴としている。
【０００９】
振子取付部の上下一対の揺動支点部は、固定的に設けることも可能であるが、振竿体の上下反転位置に応じ、その一対の軸受部のいずれか一方を下方から揺動自在に支持する下軸受を設け、振子取付部には、この下軸受をフレームの上下反転位置に応じて選択的に支持する上下一対の下軸受保持部を設けることが可能である。
【００１０】
フレームは、時計の支持板に上下を反転して固定可能とするのがよい。このためには、フレームの支持板に対する取付穴を時計用機械体の針中心軸に対して点対称の位置に配置するのがよい。
【００１１】
振竿体に支持された磁石の端面と、上記飾り振子駆動回路に含まれるコイルの端面との距離は、フレームの上下位置が反転しても変化しないように、各要素の位置を配置するのが好ましい。
【発明の効果】
【００１２】
本発明によれば、振竿体及びフレームの上下位置を反転させることにより容易に飾り振子の周期を調整（変更）することができ、飾り振子周期の設定の自由度を高めることができる。また、フレームを時計の支持板に上下を反転して固定可能とするとき、フレームの支持板に対する取付穴を時計用機械体の針中心に対して点対称の位置に配置することにより、支持板の形状を変更することなく、フレームの上下位置を反転させることができる。さらに、振竿体に含まれる磁石の端面と、飾り振子駆動回路（に含まれるコイルの端面）との距離が、フレーム及び振竿体の上下位置を反転させても変化しないように各要素の位置を定めることにより、飾り振子の振角や駆動回路を駆動している電池の寿命に大きな影響がないようにすることができる。
【発明を実施するための最良の形態】
【００１３】
以下、本発明の好適な実施の形態を、図１ないし図５を参照して説明する。以下の説明の上下（鉛直）、左右（水平）は、時計として使用する状態でのそれを言う。図１、図２と、図３、図４はそれぞれ、同一構成のフレーム（振子駆動ブロック）１０と振竿体２０の上下位置を反転させ、振子周期を異ならせた状態を示している。図１は、振竿体２０の下部に飾り振子３１を結合した状態、図３は振竿体２０の上下に上振子３２と飾り振子３１を結合した状態を示し、図２と図４では、この飾り振子３１と上振子３２を描いていない。
【００１４】
フレーム１０は、その上下（鉛直）方向に離間させて、振子取付部１１と振子駆動回路１２とを備えている。この振子取付部１１と振子駆動回路１２とを結ぶ線分上に、図示しない時計体の針中心軸１３が位置している。フレーム１０には、図示しない支持板への取付穴１０ａ、１０ｂ、１０ｃ、１０ｄが形成されている。これらの取付穴（及び対応する支持板の支持穴）は、針中心軸１３に対して点対称の位置に配置されていて、フレーム１０の上下を反転させても、同一の取付穴で取付固定（セット）ができる。
【００１５】
振子取付部１１には、上下一対の揺動支点部（下軸受保持部）１１Ｘ、１１Ｙが形成されている。揺動支点部１１Ｘと１１Ｙは、両者の中心部の水平線に関して対称形状をしていて、下軸受（下軸受ブロック）１５を選択して挿入可能な挿入溝１１ａをそれぞれ有している。挿入溝１１ａは、針中心軸１３と平行（図１、図３の紙面に垂直）な方向に延びていて、抜け止め縁１１ｂを備えている。この揺動支点部１１Ｘと１１Ｙの形状は図５にも表れている。
【００１６】
この揺動支点部１１Ｘと１１Ｙのいずれかの挿入溝１１ａに選択的に挿入される下軸受１５は、その挿入方向の前後端部に、一対のナイフエッジ１５ａ（図５参照）を有しており、また、挿入状態で抜け止め縁１１ｂと係合する係止凹部１５ｂが形成されている。一対のナイフエッジ１５ａの上端部は針中心軸１３と平行な同一線上に位置する揺動支点を構成する。
【００１７】
振子駆動回路１２は、回路基板に駆動コイルを取り付けてなっており、そのコイル端面が水平面を向き、フレーム１０の外面に臨んでいる。
【００１８】
振竿体２０は、図５にも示すように、揺動支点部１１Ｘと１１Ｙを囲む囲繞部２１と、この囲繞部２１から反対方向（上下方向）に延びる長アーム２２と短アーム２３とを有しており、長アーム２２と短アーム２３の先端部にはそれぞれ、付加振子支持部２２ａ、２３ａが形成されている。付加振子支持部２２ａと２３ａは、実質的に同一構造であり、飾り振子３１と上振子３２を選択して着脱できる。
【００１９】
振竿体２０の囲繞部２１には、その上下方向の中心部に左右方向の橋絡縁２１ａが設けられており、この橋絡縁２１ａの中心部に、挿入溝１１ａと平行な方向に延びる軸受柱２４が一体に設けられている。この軸受柱２４の前後端部にはそれぞれ、下軸受１５のナイフエッジ１５ａに対応する上下一対のＶ字状溝部２４ａが形成されている。この上下一対のＶ字状溝部２４ａは、振子取付部１１の揺動支点部１１Ｘまたは１１Ｙに選択的に揺動自在に支持される、振竿体２０の上下一対の軸受部である。
【００２０】
振竿体２０にはまた、その長アーム２２に、振子駆動回路１２と協働して該振竿体２０に揺動運動を与える永久磁石２５が固定されている。この永久磁石２５は、フレーム１０と振竿体２０の上下反転位置に拘わらず、永久磁石２５の端面と振子駆動回路１２に含まれるコイル端面との距離ｄが変化しない。すなわち、フレーム１０の振子駆動回路１２、振子取付部１１の揺動支点部１１Ｘと１１Ｙ、振竿体２０の上下一対のＶ字状溝部２４ａと永久磁石２５のそれぞれの位置等は、フレーム１０と振竿体２０の上下反転位置に拘わらず、上記距離ｄが同一になるように、設定されている。
【００２１】
すなわち、振竿体２０に含まれる磁石２５の端面と飾り振子駆動回路１２に含まれるコイルの端面との距離は飾り振子の特性に大きな影響を与え、距離が長くなると飾り振子を駆動する駆動回路に流れる電流値が大きくなり、この駆動回路を駆動している電池の寿命が短くなることが知られている。これに対し、本実施形態のように、磁石２５の端面と、飾り振子駆動回路１２に含まれるコイルの端面との距離ｄを、フレーム１０と振竿体２０の上下位置を反転させても変化しないようにすることで、フレーム１０と振竿体２０の上下位置を反転させても電池寿命が変化することを防止できる。
【００２２】
上記構成の本飾り振子駆動装置は、図１、図２のように、振子取付部１１を上方に位置させ振子駆動回路１２を下方に位置させてフレーム１０を支持板に固定する状態（短周期状態）と、逆に図３、図４のように、振子駆動回路１２を上方に位置させ振子取付部１１を下方に位置させてフレーム１０を支持板に固定する状態（長周期状態）とを選択することができる。フレーム１０の支持板取付穴１０ａと１０ｂ及び１０ｃと１０ｄは、時計用機械体の針中心軸１３に対して点対称の位置に配置されているため、このようにフレーム１０の上下位置を反転させても、取付穴の位置が変わらない。このため、フレーム１０の上下を反転させることによる支持板の形状変更は必要ない。
【００２３】
そして、図１、図２の短周期状態を選択する場合には、振竿体２０をその長アーム２２を下方に向けた状態で、軸受柱２４の下方を向いているＶ字状溝部２４ａ（上下一対の軸受部２４ａのうち下方に位置する軸受部２４ａ）に下軸受１５のナイフエッジ１５ａを突き合わせる。一方、図３、図４の長周期状態を選択する場合には、振竿体２０をその短アーム２３を下方に向けた状態で、同じく軸受柱２４の下方を向いているＶ字状溝部２４ａ（上下一対の軸受部２４ａのうち下方に位置する軸受部２４ａ）に下軸受１５のナイフエッジ１５ａを突き合わせる。
【００２４】
図１、図２の短周期状態と、図３、図４の長周期状態のいずれにあっても、揺動支点部１１Ｘと１１Ｙのうち、下方に位置する揺動支点部１１Ｘ（または１１Ｙ）の挿入溝１１ａに、以上のように振竿体２０を組み合わせた下軸受１５を挿入支持する。いずれの状態でも、振竿体２０の長アーム２２が振子取付部１１と振子駆動回路１２の間に位置し、フレーム１０の振子駆動回路１２に含まれるコイル端面と振竿体２０の永久磁石２５の端面との距離は、ｄに保たれる。
【００２５】
一方、図１、図２の短周期状態では、振竿体２０の長アーム２２の下端の付加振子支持部２２ａに飾り振子３１を結合し、図３、図４の状態では、短アーム２３の下端の付加振子支持部２３ａに飾り振子３１を結合する。そして、図３、図４の状態では、長周期化を図るためにさらに、長アーム２２の上端の付加振子支持部２２ａに上振子３２を結合する。
【００２６】
図３、図４のように、フレーム１０及び振竿体２０の上下位置を反転した場合には、上振子３２の重心と振竿体２０の揺動支点との距離が長くなるため、図１、図２の場合に比べ、飾り振子の周期を長くすることが可能である。
【００２７】
振竿体２０への振子の取付態様としては、図１、図２の態様と、図３、図４の態様の他、図１、図２の態様に上振子を取り付けた態様、図３、図４の態様から上振子を外した態様も考えられる。図１、図２の態様に上振子を取り付けた態様では、文字板を時計の上部に配置する通常のレイアウトでは、飾り振子支点と上振子の重心との距離が長く取れず、図１、図２の態様に比べて周期は僅かに長くなるのみである。また、図３、図４の態様から上振子を外した態様では、上側の長アームが残るが、上振子に較べて長アームの重量が大幅に軽いため、飾り振子の支点と長アームの重心との距離が短く、短アームのみ場合の周期と同様に短くなる。従って、振子の周期は図３、図４の態様から上振子を取り外した態様、図１、図２の態様、図１、図２の態様に上振子を取り付けた態様、図３、図４の態様の順に長くなる。
【図面の簡単な説明】
【００２８】
【図１】本発明による飾り振子駆動装置の一実施形態を示す正面図である。
【図２】図１のＩＩ−ＩＩ線に沿う断面図である。
【図３】本発明の飾り振子駆動ブロックを上下さかさまに配置した状態の正面図である。
【図４】図３のＩＶ−ＩＶ線に沿う断面図である。
【図５】フレームの揺動支点部と振竿体の軸受部の分解斜視図である。
【図６】従来の飾り振子駆動装置の一例を示す正面図である。
【図７】図６のＶＩＩ−ＶＩＩ線に沿う断面図である。
【符号の説明】
【００２９】
１０  フレーム
１０ａ  １０ｂ  １０ｃ  １０ｄ  取付穴
１１  振子取付部
１１ａ  挿入溝
１１ｂ  抜け止め縁
１１Ｘ  １１Ｙ  揺動支点部（下軸受保持部）
１２  振子駆動回路
１３  針中心軸
１５  下軸受
１５ａ  ナイフエッジ
１５ｂ  係止凹部
２０  振竿体
２１  囲繞部
２１ａ  橋絡縁
２２  長アーム
２３  短アーム
２４  軸受柱
２４ａ  Ｖ字状溝部（軸受部）
２５  永久磁石
３１  飾り振子
３２  上振子
ｄ  磁石の端面とコイルの端面との距離
【図１】
2005140543.tif 000003
【図２】
2005140543.tif 000004
【図３】
2005140543.tif 000005
【図４】
2005140543.tif 000006
【図５】
2005140543.tif 000007
【図６】
2005140543.tif 000008
【図７】
2005140543.tif 000009